(57)【特許請求の範囲】
【請求項１】
情報を表示する表示画面を有する表示ユニット、
前記表示ユニットの、前記表示画面側全面を覆う、少なくとも前記表示画面前面を覆う部分が光透過性の前面カバー部と、前記表示ユニットの両側面全面を覆う一対の側面カバー部とを有し、前記表示ユニットが取外し可能に装着される表示ユニット用筐体、および、
前記一対の側面カバー部から外方に突出し、装置筐体に設けられた一対の支持穴に嵌入して回動自在に支持される軸を備えたことを特徴とする表示モジュール。
【請求項２】
前記表示ユニット用筐体が、
前記一対の側面カバー部を有し、前記表示ユニットが取外し可能に装着されるとともに、前記軸が該側面カバー部と一体に形成されてなる第１の筐体と、
前記前面カバー部を有し、前記第１の筐体が取外し自在に装着される第２の筐体とからなることを特徴とする請求項１記載の表示モジュール。
【請求項３】
前記表示ユニット用筐体が、前記前面カバー部と前記一対の側面カバー部とが一体に形成され前記表示ユニットが取外し可能に装着されるとともに、前記一対の側面カバー部それぞれに前記軸が挿通される挿通孔が形成されてなるものであって、
前記軸が、伸長方向に付勢するバネが内蔵された伸縮自在な軸であって、前記挿通孔に挿通されて前記一対の側面カバー部から外方に突出してなるものであることを特徴とする請求項１記載の表示モジュール。
【請求項４】
前記表示ユニット用筐体が、前記前面カバー部と、前記一対の側面カバー部とが一体に形成され前記表示ユニットが取外し可能に装着されるとともに、さらに前記軸が該側面カバー部と一体に形成され、該側面カバー部が、該側面カバー部の前記軸が形成された部分が内側に撓むように前記前面カバー部寄りの部分に形成された第１のスリットを有するものであって、さらに、該表示ユニット用筐体に装着された前記表示ユニットの上端面を覆う基部と、前記一対の側面カバー部と重なり前記軸が嵌入する第２のスリットが形成され装着により前記第１のスリットを覆う一対の側部とを有するキャップ部材を有することを特徴とする請求項１記載の表示モジュール。
【発明の詳細な説明】
【技術分野】
【０００１】
本発明は、情報を表示する表示ユニットを備え、例えば通信装置等の装置筐体に回動自在に支持される表示モジュールに関する。
【背景技術】
【０００２】
情報を表示する表示モジュールが様々な分野の装置筐体に取り付けられている。
【０００３】
例えば、光ケーブルが接続される通信装置には、その光ファイバ内を伝送される光信号の光の波長をＬＥＤの点灯により表示する表示モジュールが備えられている。
【０００４】
図１は、光ファイバが接続された通信装置の一例を示す図である。
【０００５】
ここに示す通信装置１０は装置筐体１１内に構成されており、その通信装置１０には、光信号伝達用の複数本の光ファイバ１３が接続されている。さらに、これらの光ケーブル１３の、装置筐体１１側の根元の部分には、表示モジュール１４が備えられている。この表示モジュール１４には、複数のＬＥＤセグメントが配列されており、この表示モジュール１４は、それらのＬＥＤセグメントにより、光ケーブル１３内を伝送される光信号の波長が表示される。光ケーブル１３は、ある程度上下方向に動かすことができ、このため表示モジュール１４はその光ケーブル１３の動きを妨げないように、装置筐体１１に回動自在に支持されている。
【０００６】
図２は、図１に示す表示モジュールの分解斜視図である。
【０００７】
この表示モジュール１４は、表示ユニット１５と表示ユニット用筐体１６とで構成されている。表示ユニット１５は、ＬＥＤセグメントが配列された表示画面１５１と、その表示画面１５１を駆動する駆動回路（図示せず）と、この表示ユニット１５を外部と繋ぐコネクタ１５２とを備えており、表示画面１５１の両側に貼着された両面粘着テープ１５３により、表示ユニット用筐体１６に貼着される。
【０００８】
また表示ユニット用筐体１６は、表示ユニット１５の前面を覆う前面カバー部１６１と、表示ユニット１５の側面を覆う一対の側面カバー部１６２とを有し、前面カバー部１６１には、表示ユニット１５の表示画面１５１に対応した部分に表示画面視認用の窓１６１が設けられ、さらにその上部に２本のスリット１６１ｂが形成されている。またこの前面カバー部１６１の前面には、表示画面視認用の窓１６１ａやスリット１６１ｂを塞がない形状のラベル１６４が貼り付けられている。またここには、一対の側面カバー部１６２から外方に突出した軸１６３が設けられている。この軸１６３は側面カバー部１６２と一体に形成されている。この軸１６３は、図１に示す装置筐体１１に設けられている一対の支持穴に嵌入して回動自在に支持される。
【０００９】
図３は、表示モジュールの、装置筐体への取付方法を示す説明図である。
【００１０】
この図３には、表示ユニット用筐体１６を上から見て示した図とともに、装置筐体１１については水平面で断面したときの断面図が示されている。
【００１１】
装置筐体１１には、一対の支持穴１１１が設けられており、その支持穴１１１に、表示ユニット用筐体１６の軸１６３を嵌入させることにより、この表示ユニット用筐体１６が装置筐体１１に、軸１６３を中心に回動自在に支持される。
【００１２】
ここで、軸１６３を支持穴１１１に嵌入させるにあたっては、表示ユニット用筐体１６の側面カバー部１６２の、軸１６３が形成された部分を、矢印Ａ方向に撓ませる必要があり、その撓ませた状態で、矢印Ｂに示すように、軸１６３を支持穴１１１に嵌入させる。表示モジュール用筐体１６の前面カバー部１６１に設けられた一対のスリット１６１ｂは、軸１６３の部分を撓ませることができるようにするために設けられたものである。
【００１３】
尚ここでは、表示ユニット１５については図示を省略したが、表示ユニット１５が表示ユニット用筐体１６に両面粘着テープ１５３で固定された状態の表示モジュール１４が装置筐体１１に、軸１６３を中心に回動自在に支持される。
【００１４】
以上の構造の表示モジュールの場合、下記の課題があった。
【００１５】
（１）ＥＳＤ（Ｅｌｅｃｔｒｏｓｔａｔｉｃ  Ｄｉｓｃｈａｒｇｅ（静電放電）試験時、放電のエネルギーが、表示画面視認用の窓１６１およびスリット１６２から表示ユニット１５に直接伝わり、表示ユニット１５の破壊につながっていた。
【００１６】
（２）表示ユニット１５は、表示ユニット用筐体１６に両面粘着テープ１５で貼り付けられており、このため、この貼り付けに工数がかかっていた。特に、表示画面１５１が傾いた状態のまま貼り付けてしまったときは、一度剥がして両面粘着テープを貼り直す必要があり、特に大きな工数がかかっていた。
【００１７】
（３）リサイクルにおいて、製品の廃棄の時、分解して分別を行う必要があるが、従来の構造方式では、両面粘着テープによる固定となっているため、本表示モジュールにおける表示ユニットの保持構造を理解していないと、分解に多くの工数を必要とする。また、両面テープを剥がす工数も要していた。
【００１８】
上記の問題に対し、特許文献１には、プリント基板に実装されたＬＥＤ等の表示部をフィルムシートで覆うことによりＥＳＤ対策を行なうことが開示されている。
【００１９】
しかしながら、薄いフィルムシートではＥＳＤ対策として十分ではなく、また、構造上、厚部部材で覆うことは不可能である。
【００２０】
また、特許文献２には、集合表示盤の単位表示ユニットを形成する照光表示器が開示されている。この照光表示器はＬＥＤの前面に複数の部材が配置された複雑な構造を有しているためＥＳＤの問題は生じないのかも知れないが、この特許文献２にはＥＳＤに関しては記述はなく、またこのような複雑な構造では、仮にＥＳＤの問題がなくてもコスト高であり採用できない。
【特許文献１】特開平１１−２５１７６１号公報
【特許文献２】実公平６−３３５０２号公報
【発明の開示】
【発明が解決しようとする課題】
【００２１】
本発明は、上記事情に鑑み、比較的簡易な構造で静電気放電に対する十分な耐性を有し、かつ、組立ておよび分解が容易な表示モジュールを提供することを目的とする。
【課題を解決するための手段】
【００２２】
上記目的を達成する本発明の表示モジュールは、
情報を表示する表示画面を有する表示ユニット、
上記表示ユニットの、表示画面側全面を覆う、少なくとも表示画面前面を覆う部分が光透過性の前面カバー部と、表示ユニットの両側面全面を覆う一対の側面カバー部とを有し、表示ユニットが取外し可能に装着される表示ユニット用筐体、および、
上記一対の側面カバー部から外方に突出し、装置筐体に設けられた一対の支持穴に嵌入して回動自在に支持される軸を備えたことを特徴とする。
【００２３】
本発明の表示モジュールは、表示ユニット用筐体が、表示ユニットの表示画面側全面を覆う前面カバー部と、表示ユニットの両側面全面を覆う一対の側面カバー部を有しており、表示ユニットは静電気放電を直接に受けない静電気放電に強い構造となっている。また、この表示ユニット用筐体の、少なくとも表示画面前面を覆う部分は光透過性であり、表示画面の視認性が確保されている。さらに、この表示ユニット用筐体は、表示ユニットが取外し可能に装着されるものであるため、画面粘着テープを使って貼り付けたときのような、両面粘着テープを取り替えるといった作業も不要であり、組立て、分解工数の削減も図られる。
【００２４】
ここで、上記本発明の表示モジュールにおいて、上記表示ユニット用筐体が、
一対の側面カバー部を有し、表示ユニットが取外し可能に装着されるとともに、上記軸が側面カバー部と一体に形成されてなる第１の筐体と、
前面カバー部を有し、第１の筐体が取外し自在に装着される第２の筐体とからなることが好ましい。
【００２５】
この表示ユニット用筐体を、前面カバー部を担当する第１の筐体と、表示ユニットの装着、側面カバー部、および軸を担当する第２の筐体とに分けて構成することで組立／分解が容易となり、かつ軸の部分を撓ませるためのスリットの形成も不要となる。
【００２６】
また、上記本発明の表示モジュールにおいて、上記表示ユニット用筐体が、前面カバー部と一対の側面カバー部とが一体に形成され表示ユニットが取外し可能に装着されるとともに、一対の側面カバー部それぞれに上記軸が挿通される挿通孔が形成されてなるものであって、上記軸が、伸長方向に付勢するバネが内蔵された伸縮自在な軸であって、挿通孔に挿通されて前記一対の側面カバー部から外方に突出してなるものであってもよい。
【００２７】
このように前面カバー部と一対の側面カバー部とを一体的に構成した場合、軸の撓ませ方が問題となるが、ここでは表示ユニット用筐体とは別体の軸を用意し、その軸を伸縮自在な構造とすることで、スリットの形成を不要とし、静電気放電に強い構造となっている。
【００２８】
組立／分解の容易さについては、上述の態様と同様、容易である。
【００２９】
さらに、本発明の表示モジュールにおいて、上前記表示ユニット用筐体が、前面カバー部と、一対の側面カバー部とが一体に形成され表示ユニットが取外し可能に装着されるとともに、さらに上記軸が側面カバー部と一体に形成され、側面カバー部が、側面カバー部の上記軸が形成された部分が内側に撓むように前面カバー部寄りの部分に形成された第１のスリットを有するものであって、さらに、この表示ユニット用筐体に装着された表示ユニットの上端面を覆う基部と、一対の側面カバー部と重なり上記軸が嵌入する第２のスリットが形成され装着により上記第１のスリットを覆う一対の側部とを有するキャップ部材を有することも好ましい形態である。
【００３０】
この場合、表示ユニット用筐体には、軸を撓ませるためのスリットが設ける必要があるが、そのスリットを塞ぐキャップ部材を備えているため、この場合も静電気放電に強い構造となっている。組立／分解の容易さについては、上述の態様と同等である。
【００３１】
ここで、本発明の、上記のいずれの態様においても、上記表示ユニットは、ＬＥＤを備え、そのＬＥＤの点滅により表示画面に情報を表示するものであってもよく、また、上記表示ユニット用筐体は、樹脂モールドにより形成されたものであってもよい。さらに、本発明の表示モジュールは、前面カバー部前面の、表示画面前面を除く領域にラベルが貼付されてなるものであることが好ましい。
【発明の効果】
【００３２】
以上の本発明によれば、静電気放電に十分な耐性を持ち、かつ組立て、分解が容易な表示モジュールを構成することができる。
【発明を実施するための最良の形態】
【００３３】
以下、本発明の実施形態について説明する。
【００３４】
図４は、本発明の第１実施形態の表示モジュールの分解斜視図である。
【００３５】
図４に示す表示モジュール２０は、表示ユニット２００と、表示ユニット用筐体２１０と、ラベル２４０とで構成されており、さらに、表示ユニット用筐体２１０は、さらに、第１の筐体２２０と第２の筐体２３０との２つの部材で構成されている。
【００３６】
表示ユニット２００は、前述した従来例（図２参照）における表示ユニット１５と同様に構成されたものであり、ＬＥＤのセグメントが並んだ表示画面２０１と、その表示画面２０１に並ぶＬＥＤセグメントを駆動する駆動回路（図示せず）と、この表示ユニット２００を外部と繋ぐコネクタ２０２とを備えている。
【００３７】
また、表示ユニット用筐体２１０を構成する第１筐体２２０は、ここでは後述する第２筐体２３０と同じく透明な樹脂で構成されており、表示ユニット２２０を取外し可能に装着するものであって、表示ユニット２００の両側面全面を覆う一対の側面カバー部２２１と、各側面カバー部２２１の上部にその側面カバー部２２１から外方に突出して形成された軸２２２と、一対の側面カバー部２２１をそれらの下端で接続する接続部２２３とを有する。このため、この第１筐体２２０は、軸２２２の部分を内側に撓ませることができ、その軸２２２を、装置筐体１１の支持穴１１１（図３参照）に容易に嵌入させることができる。
【００３８】
この第１筐体２２０の、表示ユニット２００を支持する支持構造については後述する。
【００３９】
表示ユニット用筐体２１０を構成する第２筐体２３０は、透明樹脂で構成されており、表示ユニット２００の表示画面２０１側全面を覆う前面カバー部２３１と、第１筐体２２０の側面カバー部２２１と重なるように広がり、第１筐体２２０の軸２２２が嵌入する軸支持スリット２３２ａが形成された一対の軸支持部２３２とが形成されており、表示ユニット２００を支持した状態の第１筐体２２０を支持する構造となっている。この支持構造についても後述する。
【００４０】
また、この第２筐体２３０の前面には、警告表示を兼ねたラベル２４０が貼付される。このラベル２４０には、第１筐体２２０に支持され、さらに第２筐体２３０に支持された表示ユニット２００の表示画面２０１の前面に対応する部分に表示画面視認用の穴２４１が設けられている。このラベルは不透明であり、表示ユニット用筐体２１０の不要な部分を外部から見えないように覆う役割りも兼ねている。
【００４１】
図５は、表示ユニット２００と第１筐体２２０とを並べて示した斜視図、図６は、第１筐体２２０に表示ユニット２００を装着した状態の部分斜視図である。
【００４２】
第１筐体２２０の一対の側面カバー部２２１には、表示ユニット２００の表示画面側前面（図５では下面）の両縁を支持する支持台２２４が形成されており、また、各側面カバー部２２１には、それぞれ一対の支持突起２２５，２２６；２２７，２２８が形成されている。
【００４３】
一方、表示ユニット２００には、一対の支持突起２２５，２２６；２２７，２２８にそれぞれ嵌入する各突起部２０３，２０４が形成されており、この表示ユニット２００は、支持台２２４に支持され、接続部２２３に接し、各突起部２０３，２０４が各一対の支持突起２２５，２２６；２２７，２２８に嵌入した状態に支持される。尚、第１筐体２２０の接続部２２３の外壁に形成された突起２２９は、第２筐体２３０への支持用として用いられる。詳細は後述する。
【００４４】
図６には、一対の支持突起２２５，２２６に一方の突起部２０３が嵌入した状態が示されている。
【００４５】
この第１筐体２２０は、２つの側面カバー部２２１が接続部２２３に片持ち梁形状に接続された構造を有するため、２つの側面カバー部２２１を互いに開くように撓ませることができ、それらの側面カバー部２２１の間に表示ユニット２００を容易に装着することができる。また、この第１筐体２００の２つの側面カバー部２２１は、表示ユニット２００を装着した状態であっても、軸２２２が形成された先端部分を内側に撓ませることができ、軸２２２を装置筐体１１の支持穴１１１（図３参照）に容易に嵌入させることができる。
【００４６】
図７は、第１筐体と第２筐体とを並べて示した斜視図、図８は、第１筐体と第２筐体との結合部分を示した部分斜視図、図９は、結合状態にある第１筐体と第２筐体を示した斜視図である。
【００４７】
第１筐体２２０には、接続部２２３の外壁に２つの突起２２９を有し、第２筐体２２０には、その突起２２９が嵌入する窪み２３４ａが形成された２つの受部２３４が形成されている。図８には、受部２３４に形成された窪み２３４ａに突起２２９が嵌入する直前の状態が示されている。
【００４８】
第１筐体２２０を第２筐体２３０に装着するにあたっては、第１筐体２２０の突起２２９を第２筐体の受部２３４の窪み２３４ａに嵌入させ、次いで軸２２２の、太径に形成された根元の部分２２２ａを第２筐体２３０の軸支持部２３２に設けられた軸支持溝２３２ａに嵌め込み、これにより第１筐体２２０が第２筐体２３０が装着される。
【００４９】
尚、ここでは、表示ユニット２００が支持されていない状態の第１筐体２２０と第２筐体２３０との結合について示したが、実際には、表示ユニット２００が第１筐体２２０に支持され、その表示ユニット２００を支持した状態の第１筐体２２０が第２筐体２３０に支持される。第１筐体２２０は、第２筐体２３０に嵌め合わされるにあたり、軸２２２の部分が少し内側に撓んだ状態に保持される。このことにより、第１筐体２２０の側面カバー部２２１は両側から表示ユニット２００を弾性的に挟み、表示ユニット２００をガタつきなく保持している。
【００５０】
また、この第１実施形態の場合、保持構造がはめ合わせとなっている点と、材料が透明であるため、構造が容易に理解できる。そのことで事前の知識が無くとも、分解が容易に行える。
【００５１】
さらに、上記の構造では、第１筐体２２０の側面カバー部２２１が第２筐体２３０の軸支持部２３２よりも内側に位置するため、側面カバー部２２１の、軸２２２が形成された部分を内側に弾性的に撓ませることができ、軸２２２を装置筐体１１の支持穴１１１に容易に嵌入させることができる。
【００５２】
図１０は、本発明の第２実施形態の表示モジュールの組立状態の斜視図、図１１は、図１０に示す表示モジュールの分解斜視図である。ただし、図１０、図１１は、表示モジュールを背面側斜めから見て示した図である。
【００５３】
この図１０、図１１に示す表示モジュール３０は、表示ユニット３００と、表示ユニット用筐体３１０と、ラベル３４０と、軸部材３５０とから構成されている。表示ユニット３００は、前述した第１実施形態の表示ユニット２００（図９参照）と同一構造を有し、突起３０３，３０４は、それぞれ、図５に示す表示ユニット２００の突起２０３，２０４にそれぞれ対応する。また、ラベル３４０も前述の第１実施形態の表示モジュール２０を構成するラベル２４０（図４参照）と同一である。
【００５４】
この第２実施形態の表示モジュール３００を構成する表示ユニット用筐体３１０は、第１実施形態の表示モジュール２００を構成する表示ユニット用筐体２１０とは異なり、１つの部材で構成されている。
【００５５】
すなわち、この第２実施形態の表示モジュール２００を構成する表示ユニット用筐体３１０は、透明樹脂で形成されており、表示ユニット３００の前面を全面にわたって覆う前面カバー部３１１と表示ユニット３００の左右の両側面全面を覆う一対の側面カバー部３１２を有する。この側面カバー部３１２には、軸部材３５０が挿通される挿通孔３１２ａが形成されている。
【００５６】
また、一対の側面カバー部３１２のうちの一方には、一対の支持突起３２５，３２６が形成され、もう一方にも一対の支持突起３２７，３２８が形成されている。これらの支持突起３２５，３２６；３２７，３２８は、第１実施形態における第１筐体２２０（例えば図５参照）の支持突起２２５，２２６；２２７，２２８にそれぞれ対応するものであり、それらの支持突起３２５，３２６；３２７，３２８は、表示ユニット３００を支持するにあたり、その表示ユニット３００の突起部３０３，３０４を嵌入させた状態に支持するものである。
【００５７】
また、この第２実施形態の表示ユニット用筐体３１０には、第１実施形態の第１筐体２２０の接続部２２３に相当する部分に突出した係合梁３２９が形成されている。この係合梁３２９は、表示ユニット３００を表示ユニット用筐体３１０に装着した際にその表示ユニット３００の下縁を支持する役割を担っている。
【００５８】
このように、この第２実施形態の表示ユニット用筐体３１０は、１つの部材で形成されていることを除き、表示ユニット３００の支持構造としては第１実施形態における支持構造と同一の支持構造を有している。
【００５９】
図１２は、図１１に外形を示す軸部材の内部構造を示す図である。
【００６０】
この軸部材３５０は、シリンダ状部材３５１とピストン状部材３５２と、コイルバネ３５３とから構成されている。
【００６１】
シリンダ状部材３５１は、その端面に、装置筐体１１の支持穴１１１（図３参照）に嵌め込まれる軸部３５１ａを有する中空の部材であり、その中空部にコイルバネ３５１が収容されている。
【００６２】
また、ピストン状部材３５２は、その先端がシリンダ状部材３５１の中空部に入り込んでコイルバネ３５３を押し、後端に、装置筐体１１の支持穴１１１に嵌め込まれるもう一方の軸部３５２ａが形成されている。
【００６３】
また、シリンダ状部材３５１の中空部入口部分には、ピストン状部材３５２の抜け止め用の突起３５１ｂが形成され、ピストン状部材３５２の先端部分にも、そのシリンダ状部材３５１の突起３５１ｂと係合して抜けを防止する突起３５２ｂが形成されている。
【００６４】
この図１２の構造の軸部材３５０は、その長手方向の長さが伸縮自在であり、その長さを縮めることにより、２つの軸部３５１ａ，３５２ａが表示ユニット用筐体３１０の２つの挿通孔３１２ａに挿通され、また、その長さを縮めることにより、装置筐体１１の支持穴１１１に嵌入させることができる。
【００６５】
この第２実施形態の場合も、表示ユニットの前面および両側面の全面が表示ユニット用筐体３１０で覆われるため静電気放電に対し強く、また、組立て、分解が容易な構造となっている。
【００６６】
図１３は、本発明の第３実施形態の表示モジュールの組立状態の斜視図、図１４は、図１３に示す表示モジュールの分解斜視図である。ただし、これら図１３、図１４は、表示モジュールを背面側斜めから見て示した図である。
【００６７】
この図１３、図１４に示す表示モジュール４０は、表示ユニット４００と、表示ユニット用筐体４１０と、ラベル４４０と、キャップ４６０とで構成されている。
【００６８】
表示ユニット４００の構造は、前述した第１実施形態および第２実施形態の表示ユニット２００，３００と同一であり、ここでの重複説明は省略する。
【００６９】
ラベル４４０に関しても、前述した第１実施形態および第２実施形態のラベル２４０，３４０と同一であり、これも重複説明は省略する。
【００７０】
表示ユニット用筐体４１０は、透明樹脂からなる１つの部材に前面カバー部４１１や一対の側面カバー部４１２が形成されている点、および表示ユニット４００の取付構造の点について図１０、図１１に示す第２実施形態と同一であり、以下の点のみ、第２実施形態の表示ユニット用筐体３１０（図１１参照）と異なっている。
【００７１】
すなわち、この第３実施形態の表示ユニット用筐体４１０には、一対の側面カバー部４１２の上部に外方に向かって突出した軸４１３が一体に形成されており、その軸４１３が形成された部分を内側に撓ませることができるように、その側面カバー部４１２の、前面カバー部４１１寄りの位置にスリット４１４が形成されている。
【００７２】
そこで、この第３実施形態では、そのスリット４１４を塞ぐため、キャップ部材４６０が備えられている。このキャップ部材４６０は、表示ユニット４００の上端面を覆う基部４６１と一対の側部４６２とを有し、一対の側部４６２には、それぞれ軸４１３を嵌入させるスリット４６２ａが形成されている。このキャップ部材４６０を図１３に示すように被せることによりスリット４１４が塞がれる。
【００７３】
この図１３、図１４に示す表示モジュールも静電気放電に強く、組立ておよび分解が容易な構造となっている。
【００７４】
以下、本発明の各種形態を付記する。
【００７５】
（付記１）
情報を表示する表示画面を有する表示ユニット、
前記表示ユニットの、前記表示画面側全面を覆う、少なくとも前記表示画面前面を覆う部分が光透過性の前面カバー部と、前記表示ユニットの両側面全面を覆う一対の側面カバー部とを有し、前記表示ユニットが取外し可能に装着される表示ユニット用筐体、および、
前記一対の側面カバー部から外方に突出し、装置筐体に設けられた一対の支持穴に嵌入して回動自在に支持される軸を備えたことを特徴とする表示モジュール。
【００７６】
（付記２）
前記表示ユニット用筐体が、
前記一対の側面カバー部を有し、前記表示ユニットが取外し可能に装着されるとともに、前記軸が該側面カバー部と一体に形成されてなる第１の筐体と、
前記前面カバー部を有し、前記第１の筐体が取外し自在に装着される第２の筐体とからなることを特徴とする付記１記載の表示モジュール。
【００７７】
（付記３）
前記表示ユニット用筐体が、前記前面カバー部と前記一対の側面カバー部とが一体に形成され前記表示ユニットが取外し可能に装着されるとともに、前記一対の側面カバー部それぞれに前記軸が挿通される挿通孔が形成されてなるものであって、
前記軸が、伸長方向に付勢するバネが内蔵された伸縮自在な軸であって、前記挿通孔に挿通されて前記一対の側面カバー部から外方に突出してなるものであることを特徴とする付記１記載の表示モジュール。
【００７８】
（付記４）
前記表示ユニット用筐体が、前記前面カバー部と、前記一対の側面カバー部とが一体に形成され前記表示ユニットが取外し可能に装着されるとともに、さらに前記軸が該側面カバー部と一体に形成され、該側面カバー部が、該側面カバー部の前記軸が形成された部分が内側に撓むように前記前面カバー部寄りの部分に形成された第１のスリットを有するものであって、さらに、該表示ユニット用筐体に装着された前記表示ユニットの上端面を覆う基部と、前記一対の側面カバー部と重なり前記軸が嵌入する第２のスリットが形成され装着により前記第１のスリットを覆う一対の側部とを有するキャップ部材を有することを特徴とする付記１記載の表示モジュール。
【００７９】
（付記５）
前記表示ユニットは、ＬＥＤを備え、該ＬＥＤの点滅により前記表示画面に情報を表示するものであることを特徴とする付記１から４のうちのいずれか１項記載の表示モジュール。
【００８０】
（付記６）
前記表示ユニット用筐体は、樹脂モールドにより形成されたものであることを特徴とする付記１から５のうちのいずれか１項記載の表示モジュール。
【００８１】
（付記７）
前記前面カバー部前面の、前記表示画面前面を除く領域にラベルが貼付されてなることを特徴とする付記１から６のうちのいずれか１項記載の表示モジュール。
【図面の簡単な説明】
【００８２】
【図１】光ファイバが接続された装置筐体の一例を示す図である。
【図２】図１に示す表示モジュールの分解斜視図である。
【図３】表示モジュールの、装置筐体への取付方法を示す説明図である。
【図４】本発明の第１実施形態の表示モジュールの分解斜視図である。
【図５】表示ユニットと第１筐体とを並べて示した斜視図である。
【図６】第１筐体に表示ユニットを装着した状態の部分斜視図である。
【図７】第１筐体と第２筐体とを並べて示した斜視図である。
【図８】第１筐体と第２筐体との結合部分を示した部分斜視図である。
【図９】結合状態にある第１筐体と第２筐体を示した図である。
【図１０】本発明の第２実施形態の表示モジュールの組立状態の斜視図である。
【図１１】図１０に示す表示モジュールの分解斜視図である。
【図１２】図１１に外形を示す軸部材の内部構造を示す図である。
【図１３】本発明の第３実施形態の表示モジュールの組立状態の斜視図である。
【図１４】図１３に示す表示モジュールの分解斜視図である。
【符号の説明】
【００８３】
１０    通信装置
１１    装置筐体
１３    光ファイバ
１４    表示モジュール
１５    表示ユニット
１６    表示ユニット用筐体
２０，３０，４０    表示モジュール
１１１    支持穴
１５１    表示画面
１５２    コネクタ
１５３    両面粘着テープ
１６１    前面カバー部    表示画面視認用窓
１６１ａ    表示画面視認窓
１６１ｂ    スリット
１６２    側面カバー部
１６３    軸
１６４    ラベル
２００，３００，４００    表示ユニット
２０１    表示画面
２０２    コネクタ
２０３，２０４，３０３，３０４    突起
２１０，３１０，４１０    表示ユニット用筐体
２２０    第１の筐体
２２１，３１２，４１２    側面カバー部
２２２    軸
２２３    接続部
２２４    支持台
２２５，２２６，２２７，２２８，３２５，３２６，３２７，３２８    支持突起
２２９    突起
２３０    第２の筐体
２３１，３１１，４１１    前面カバー部
２３２    軸支持部
２３２ａ    軸支持スリット
２３４    受部
２３４ａ    窪み
２４０，３４０，４４０    ラベル
３０３，３０４    突起部
３１２ａ    挿通孔
３２９    系合梁
３５０    軸部材
３５１    シリンダ部材
３５１ａ，３５２ａ    軸部
３５１ｂ    突起
３５２    ピストン部材
３５３    コイルバネ
４１３    軸
４１４，４６２ａ    スリット
４６０    キャップ部材
４６１    基部
４６２    側部
【図１】
0004805236.tif 000002
【図２】
0004805236.tif 000003
【図３】
0004805236.tif 000004
【図４】
0004805236.tif 000005
【図５】
0004805236.tif 000006
【図６】
0004805236.tif 000007
【図７】
0004805236.tif 000008
【図８】
0004805236.tif 000009
【図９】
0004805236.tif 000010
【図１０】
0004805236.tif 000011
【図１１】
0004805236.tif 000012
【図１２】
0004805236.tif 000013
【図１３】
0004805236.tif 000014
【図１４】
0004805236.tif 000015